(57)【要約】【課題】構造部と梁部とのピン連結構造を簡単に形成できるようにする。【解決手段】コンクリート製の梁部２の端部と、コンクリート製の構造部１の側部とを、ピン連結してある梁のピン連結構造であって、梁部２の端部に埋設されて付着力を確保する梁部埋設部７ｂと、構造部１に埋設されて付着力を確保する構造部埋設部７ａと、梁部埋設部７ｂと構造部埋設部７ａとの間に介在して梁部２と構造部１との間でせん断力を伝達する介在部７ｃとを備えたピン連結部材７を、梁部２と構造部１とにわたって埋設してある。【選択図】図１
2014129692.tif 000002
【特許請求の範囲】
【請求項１】
コンクリート製の梁部の端部と、コンクリート製の構造部の側部とを、ピン連結してある梁のピン連結構造であって、
前記梁部の端部に埋設されて付着力を確保する梁部埋設部と、前記構造部に埋設さて付着力を確保する構造部埋設部と、前記梁部埋設部と前記構造部埋設部との間に介在して前記梁部と前記構造部との間でせん断力を伝達する介在部とを備えたピン連結部材を、前記梁部と前記構造部とにわたって埋設してある梁のピン連結構造。
【請求項２】
前記ピン連結部材は、一枚の金属板で構成してあり、
前記一枚の金属板は、その厚み方向が前記梁部の幅方向に沿う姿勢で埋設してあり、前記梁部埋設部と前記構造部埋設部とには、その厚み方向に沿って突出する状態に複数のスタッドが設けてある請求項１に記載の梁のピン連結構造。
【請求項３】
前記梁部と前記構造部との突合せ面間には、互いの相対変位を許容自在な緩衝層が介在させてある請求項１又は２に記載の梁のピン連結構造。
【発明の詳細な説明】
【技術分野】
【０００１】
本発明は、コンクリート製の梁部の端部と、コンクリート製の構造部（梁や柱や壁等）の側部とを、ピン連結してある梁のピン連結構造に関する。
【背景技術】
【０００２】
従来、梁のピン連結構造としては、コンクリート製の梁部の端部に、連結用鉄骨部材の一部を突出させて埋設しておき、その突出端部を、鉄骨の構造部（例えばＩ形鋼）に予め位置決めして一体化されたガセットプレート（フランジとウェブとにわたって位置決めされて溶接によって一体化してあるプレート）に対してボルト連結することで、ピン連結部を構成してあるものがあった（例えば、特許文献１参照）。
即ち、梁部と構造部との連結箇所は、鉄骨構造によって構成してあった。
【先行技術文献】
【特許文献】
【０００３】
【特許文献１】特開平８−６８１１３号公報（図２）
【発明の概要】
【発明が解決しようとする課題】
【０００４】
上述した従来の梁のピン連結構造によれば、梁部と構造部との連結の前に、構造部の梁取付対象部に、ガセットプレートを位置決めして溶接で固着しておく必要がある。
ガセットプレートの固着においては、予め、構造部に対して精度良く位置決めして作業を実施する必要があり、梁と構造部とのピン連結構造を形成するのに手間がかかる問題点があった。
また、構造部に対して梁部が斜めとなるような連結構造においては、ガセットプレートも梁部の長手方向に沿うように、構造部に対して斜めに取り付ける必要があり、位置決めや固着に、より多くの手間がかかることになる。
【０００５】
従って、本発明の目的は、上記問題点を解消し、梁と構造部とのピン連結構造を形成するのに手間を掛けずに簡単に実施できる梁のピン連結構造を提供するところにある。
【課題を解決するための手段】
【０００６】
本発明の第１の特徴構成は、コンクリート製の梁部の端部と、コンクリート製の構造部の側部とを、ピン連結してある梁のピン連結構造であって、前記梁部の端部に埋設されて付着力を確保する梁部埋設部と、前記構造部に埋設さて付着力を確保する構造部埋設部と、前記梁部埋設部と前記構造部埋設部との間に介在して前記梁部と前記構造部との間でせん断力を伝達する介在部とを備えたピン連結部材を、前記梁部と前記構造部とにわたって埋設してあるところにある。
【０００７】
本発明の第１の特徴構成によれば、ピン連結部材を、梁部と構造部とにわたって埋設してあるから、梁部に対しては、ピン連結部材の梁部埋設部によって付着力が確保され、構造部に対しては、ピン連結部材の構造部埋設部によって付着力が確保され、安定した状態に埋設することができる。
そして、梁部と構造部との間に作用するせん断力は、介在部において伝達することができるから、梁部の重量を介在部を介して構造部に支持させることができる。一方、梁部と連結部との間に作用する曲げ力に対しては、介在部の変形によって吸収し、梁部と構造部との連結部を、実質的にピン連結構造とすることができる。
また、ピン連結部材を、梁部と構造部とにわたってコンクリート中に埋設するだけの手間で、梁部と構造部とのピン連結構造を形成することができるから、作業そのものが簡単な上、ピン連結部材の埋設設置対象は、コンクリートであるから、従来のように、ガセットプレートを芯材の決められた位置に高い精度で位置決めして溶接する等の必要が無く、より効率よくピン連結構造を形成することができる。よって、例えば、構造部に対して梁部を斜めに連結するような連結構造を形成する場合でも、ピン連結部材を構造部と梁部とにわたる状態にさえ配置すればよく、特に、大きな手間を掛けることなくピン連結構造を形成することができる。
更には、構造部の芯材（例えば、Ｉ形鋼）に溶接の熱歪みを残す虞もない。
以上の結果、構造部と梁部とのピン連結構造を、手間を掛けずに簡単に形成できるようになる。
【０００８】
本発明の第２の特徴構成は、前記ピン連結部材は、一枚の金属板で構成してあり、前記一枚の金属板は、その厚み方向が前記梁部の幅方向に沿う姿勢で埋設してあり、前記梁部埋設部と前記構造部埋設部とには、その厚み方向に沿って突出する状態に複数のスタッドが設けてあるところにある。
【０００９】
本発明の第２の特徴構成によれば、ピン連結部材として、厚み方向が梁部の幅方向に沿う姿勢に配置した一枚の金属板であるから、上面視において場所を取らず、構造部及び梁部に埋設する上で、それぞれの鉄筋や芯材等との干渉を避け易く、設置性に富んでいるい。また、ピン連結部材を構成する金属板は、縦長断面によって必要な断面積を確保でき、梁部と構造部との間のせん断力を支持することができる。
【００１０】
本発明の第３の特徴構成は、前記梁部と前記構造部との突合せ面間には、互いの相対変位を許容自在な緩衝層が介在させてあるところにある。
【００１１】
本発明の第３の特徴構成によれば、緩衝層によって、梁部と構造部との相対変位を許容できる。
従って、例えば、構造部に対して梁部が上下に揺動するような連結部での曲げ変形が生じても、その動きを緩衝層によって許容でき、より好ましい状態のピン連結構造を構築することができる。
その結果、連結部での曲げ変形によって、構造部と梁部との突合せ面どうしが直接に押し当たって支圧破壊を生じたり、梁の曲げモーメントが柱に伝達されて柱の曲げ応力が増加するといった現象をより確実に防止できるようになる。
【図面の簡単な説明】
【００１２】
【図１】梁と連結梁の連結状況を示す平面図
【図２】図１中のII−II矢視説明図
【図３】図１中のIII−III矢視断面図
【図４】図１中のIV−IV矢視断面図
【図５】ピン連結部材を示す斜視図
【図６】梁と連結梁のピン連結の手順を示す平面視説明図
【図７】梁と連結梁のピン連結の手順を示す平面視説明図
【図８】梁と連結梁のピン連結の手順を示す平面視説明図
【図９】梁と連結梁のピン連結の手順を示す平面視説明図
【発明を実施するための形態】
【００１３】
以下に本発明の実施の形態を図面に基づいて説明する。
【００１４】
図１、図２は、構造部１の一例である梁１Ａの側部に対して、連結梁（梁部の一例）２の端部をピン連結してある『梁のピン連結構造』を示している。
【００１５】
梁１Ａは、鉄筋コンクリート製であり、その両端部を一対の柱（不図示）に各別に剛接合してラーメン構造が形成されている。
梁１Ａは、図３に示すように、横断面形状が矩形形状となるように形成してあり、断面内には、梁長手方向に沿って配置された複数の主筋３と、それを取り囲む状態に配置された複数のあばら筋４とを備えて構成されている。
【００１６】
主筋３は、矩形断面の上辺部と、下辺部とにおいて、梁の幅方向に間隔をあけて配置されている。
【００１７】
あばら筋４は、主筋３を取り囲む矩形形状に形成してあり、梁の長手方向に間隔をあけて配置されている。
尚、前記主筋３やあばら筋４の外方には、コンクリートＣの所定の鉄筋かぶりが確保されている。
【００１８】
連結梁２は、基本断面構造は、梁１Ａと同様で、図４に示すように、複数の主筋５とあばら筋６とを備えて構成されている。
但し、連結梁２は、平面視において、図１に示すように、梁１Ａの軸芯Ｓに対して鋭角の交差角度θとなる配置で連結されるから、連結梁２の端面部２ａは、梁１Ａの側面１ａに沿うように、連結梁２の軸芯Ｔに対して前記交差角度θと同じ角度で傾斜させてある。
【００１９】
あばら筋６は、連結梁２の端部側では、端面部２ａに沿う状態で複数列設けてあり、それらから連結梁中央側に隣接するあばら筋６どうしは、徐々に連結梁２の幅方向に沿うように姿勢を変えて配置してある。
【００２０】
また、梁１Ａと連結梁２とにわたって、一枚の金属板で構成されたピン連結部材７が埋設してある。
【００２１】
ピン連結部材７は、図１、図２に示すように、側面視において横長の長方形の一枚の金属板７Ａで構成してあり、連結梁２の端部に埋設されて付着力を確保する連結梁埋設部（梁部埋設部に相当）７ｂと、前記梁１Ａに埋設されて付着力を確保する梁埋設部（構造部埋設部に相当）７ａと、連結梁埋設部７ｂと梁埋設部７ａとの間に介在して連結梁２と梁１Ａとの間でせん断力を伝達する介在部７ｃとを設けて構成してある。
【００２２】
前記一枚の金属板７Ａは、その厚み方向が連結梁２の幅方向に沿う姿勢で埋設してあり、連結梁埋設部７ｂと梁埋設部７ａとには、その厚み方向に沿って突出する状態に複数のスタッド８が設けてあり（図５参照）、コンクリートＣへのアンカー効果を発揮できるように構成されている。
【００２３】
従って、梁埋設部７ａは、梁１Ａのあばら筋４どうしの間から梁１Ａの断面中央側に挿入された状態で設置され、連結梁埋設部７ｂは、連結梁２の端面部２ａから連結梁２の軸芯Ｔに沿って連結梁２の長手方向中央側に挿入された状態で設置されている。
【００２４】
また、連結梁２の端面部２ａと、梁１Ａの側面１ａとの間には、例えば、スタイロフォーム等のシート材で構成された緩衝層９が介在させてある。
【００２５】
以上の構成により、梁１Ａと連続梁２とは、前記介在部７ｃの変形が許容された状態で連結され、実質的に、ピン連結構造として機能する。従って、連続梁２の端部を梁１Ａによって回転自在に支持することができ、連続梁２の曲げモーメントの全てが梁１Ａに伝達することを防止できる。その結果、梁１Ａの剛性を、最小限度に止めた部材設計が可能となる。
【００２６】
次に、梁１Ａと連結梁２とのピン連結手順の一例について説明する。
［１］梁１Ａと、連結梁２との一連の型枠Ｋを組み上げる（図６参照）。
［２］梁１Ａの型枠Ｋ１内に、主筋３とあばら筋４とを組むと共に、連結梁２の型枠Ｋ２内に、主筋５とあばら筋６とを組む（図７参照）。
［３］型枠Ｋにおける梁空間Ｖ１と連結梁空間Ｖ２との境界に、緩衝層９を固定する。
［４］緩衝層９の幅中央部に、ピン連結部材７の介在部７ｃを挿入自在な切り込み９ａを入れた状態で、その切り込み９ａに介在部７ｃを挿入しながら、ピン連結部材７を、梁空間Ｖ１と連結梁空間Ｖ２とにわたって配置する。ピン連結部材７の仮固定は、主筋３，５や、あばら筋４，６に鉄筋棒等の添え材を介在させて溶接や結束線によって固定することで実施できる。
［５］梁空間Ｖ１と連結梁空間Ｖ２とに、それぞれコンクリートＣを打設する（図８参照）。両空間Ｖ１，Ｖ２へのコンクリート打設速度は、いずれの空間においても打設深度がほぼ同じとなるように設定することで、両空間Ｖ１，Ｖ２でのコンクリート圧の均衡を保つことができ、緩衝層９が何れかの空間に変位することを防止できる。よって、別途型枠を設置しなくても、緩衝層９によって両空間Ｖ１，Ｖ２の区画ができる。
［６］コンクリートの所定の養生期間の経過後、脱型する（図９参照）。
【００２７】
当該実施形態の梁のピン連結構造によれば、連結梁２からのせん断力をピン連結部材７の介在部７Ｃを介して梁１Ａに支持させることができながら、梁１Ａと連結梁２との間に作用する曲げ力に対しては、介在部の変形によって吸収し、梁１Ａと連結梁２とを、実質的にピン連結することができる。
また、ピン連結部材７となる一枚の金属板７Ａを、梁１Ａと連結梁２とにわたってコンクリートＣ中に埋設するだけの手間で、ピン連結構造を簡単に形成することができる。
そして、一枚の金属板７Ａの埋設設置対象は、コンクリートＣであるから、埋設位置の融通性がよく、現場作業をより効率的に実施できる。
また、梁１Ａと連結梁２との間には、緩衝層９を設けてあるから、両者の動きを、緩衝層９で無理なく受け止めることができ、ピン連結部としての動きをスムースに許容することができる。
【００２８】
〔別実施形態〕
以下に他の実施の形態を説明する。
【００２９】
〈１〉  ピン連結の対象となる構造部１と梁部２は、先の実施形態で説明したものに限るものではなく、次のような代替が可能である。
例えば、構造部１は、先の実施形態で説明した梁１Ａに限らず、例えば、柱や壁であってもよく、それらを含めて構造部１と総称する。
また、これら構造部１と梁部２との構造形式であるコンクリート製とは、鉄筋コンクリート造に限らず、例えば、鉄骨鉄筋コンクリート造や、鉄骨コンクリート造等、コンクリートを使用する構造形式であればよく、それらを含めてコンクリート製と総称する。
〈２〉  ピン連結部材７は、先の実施形態で説明した一枚の金属板７Ａに限るものではなく、例えば、２枚以上の金属板であったり、単数又は複数の金属棒状体であってもよく、それらを含めてピン連結部材７と総称する。
〈３〉  緩衝層９は、先の実施形態で説明したスタイロフォーム等のシート材によって構成してあることに限るものではなく、構造部１と梁部２との緩衝作用を期待できるものであれば採用することができる。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
１      構造部
２      連結梁（梁部に相当）
７      ピン連結部材
７ａ    梁埋設部（構造部埋設部に相当）
７ｂ    連結梁埋設部（梁部埋設部に相当）
７ｃ    介在部
７Ａ    一枚の金属板
８      スタッド
９      緩衝層
【図１】
2014129692.tif 000003
【図２】
2014129692.tif 000004
【図３】
2014129692.tif 000005
【図４】
2014129692.tif 000006
【図５】
2014129692.tif 000007
【図６】
2014129692.tif 000008
【図７】
2014129692.tif 000009
【図８】
2014129692.tif 000010
【図９】
2014129692.tif 000011